(57)【特許請求の範囲】
【請求項１】
時計ムーブメントの少なくとも第１のレバー及び第２のレバーのシーケンス制御をする制御装置であって、第１のレバー(1)及び第２のレバー(2)は、第１のホイール・セット(7)及び第２のホイール・セット(8)それぞれの運動を弾性戻り手段に抗して制御し、時間的に接近し且つ部分的に重なった２つの運動が行われるように、構成されており、前記第１のホイール・セット(7)を巻き上げるための第１の手段と、前記第２のホイール・セット(8)を巻き上げる第２の手段とが備えられ、前記第１のホイール・セット(7)及び前記第２のホイール・セット(8)が同時ではなく順次に釈放するように構成されされている、制御装置であって、
前記第１の巻き上げ手段は、第１のホイール・セット(7)の巻き上げと運動の釈放との間に時間遅延をもたらす遅延手段(4)を備え、前記第１のホイール・セット(7)を操作する機構内に蓄えられたポテンシャル・エネルギーを所定時間保持するように、前記第１のホイール・セット(7)をその釈放まで前記所定時間巻き上げられた状態にしておき、前記第２の巻き上げ手段は、前記第１のホイール・セット(7)が前記所定時間巻き上げられた状態において、前記第２のホイール・セット(8)を巻き上げるように構成され、
前記第１の巻き上げ手段は、第１のレバーの制御用の第１の経路(301)を含む接触面(10)に、動力手段を伝達する手段を備え、前記接触面には前記遅延手段(4)を形成する少なくとも１つの遅延面(40)が配置される、
ことを特徴とする制御装置。
【請求項２】
前記第１の経路(301)は、前記時計機構の動力手段又は前記装置(100)内に含まれる動力手段によって駆動されるホイール(30)の周辺部に配置され、
前記遅延手段(4)は、前記第１のホイール・セット(7)が巻き上げられた状態のままに置かれる角度幅を有する少なくとも１つの遅延面(40)を含み、前記角度幅が、前記第１のホイール・セット(7)及び前記第２のホイール・セット(8)の巻き上げ及び釈放の完全な累積サイクルに対応する角度幅の１５％から２５％までの範囲、及び／又は、前記第１のホイール・セット(7)を巻き上げて巻き上げ状態に保持するサイクルに対応する角度幅の２５％から４０％までの範囲を含む、
ことを特徴とする、請求項１に記載の制御装置。
【請求項３】
前記第１の経路(301)は、前記時計機構の動力手段又は前記装置(100)内に含まれる動力手段によって駆動されるホイール(30)の周辺部に配置され、
前記遅延手段(4)は、前記ホイールに対して実質的に接線方向の面にして、前記第１のレバー(1)と協働する前記ホイールの最大半径の６％から１０％までの範囲の孤長を持つ、少なくとも１つの遅延面(40)を含む、
ことを特徴とする、請求項１に記載の制御装置。
【請求項４】
前記第１のホイール・セット(7)のための前記第１の巻き上げ手段は、前記第１のレバー(1)が、第１のトルク消費レベル(11)と前記第１のトルクレベル(11)よりも高い第２のトルク消費レベル(12)との間のエネルギーを蓄える第１の増加段階(14)をもたらすように構成されており、
前記第２のレバー(2)のための前記第２の巻き上げ手段は、前記第２のレバー(2)が、第１のトルク消費レベル(21)と前記第１のトルク消費レベル(21)よりも高い第２のトルク消費レベル(22)との間のエネルギーを蓄える第１の増加段階(24)をもたらすように構成されており、
前記遅延手段(4)は、前記第１の増加段階(14)に続く前記第１のレバー(1)の第２の減少段階(15)の間に、該第１のトルクレベル(11)と前記第２のトルク消費レベル(12)との間の第３の中間トルク消費レベル(13)で少なくとも１つの安定段階(16)をもたらすように構成されており、
前記第２の減少段階(15)の終わりに、前記第２のレバー(2)が前記第１の増加段階(24)の間に蓄えた全てのエネルギーをユーザ機構に伝達する前又は遅くとも伝達する瞬間に、前記第１のレバー(1)は、前記第１の増加段階(14)の間に蓄積した全てのエネルギーを当該エネルギーを用いる機構に伝達し、前記第１のレバー(1)及び前記第２のレバー(2)の各々のトルク消費を累積することによるトルク消費のピークを防ぐようにする、
ことを特徴とする、請求項１に記載の制御装置。
【請求項５】
前記第２の巻き上げ手段は、前記時計機構又は前記制御装置(100)内に含まれる動力手段を、前記第２のレバー(2)を制御するための第２の経路(302)を含む接触面(10)に伝達するための手段を含み、前記接触面(10)は、前記経路(301、302)により与えられるシーケンスにおいてトルクの形態のエネルギーを前記レバー(1、2)に伝達するための動力手段の動作によって移動可能であり、このシーケンスにおいて、前記レバー(1、2)の各々は、該レバー(1、2)がエネルギーを蓄える第１の増加段階(14、24)の間に、前記第１のトルク消費レベル(11、21)から該第１のレベル(11、21)よりも高い前記第２のトルク消費レベル(12、22)まで変化し、次いで、前記レバーが前記エネルギーを用いる機構に該エネルギーを伝達する第２の減少段階(15、25)の間に、前記第２のレベル(12、22)から前記第１のレベル(11、21)まで順次に変化する、
ことを特徴とする、請求項４に記載の制御装置。
【請求項６】
前記接触面(10)は、前記第２のレバー(2)の第１の増加段階(24)の間に、前記第１のレバー(1)のトルク消費安定段階(16)が生じるように前記シーケンスを定める、
ことを特徴とする請求項５に記載の制御装置。
【請求項７】
前記接触面(10)は、前記第１のレバー(1)の前記第２のトルク消費減少段階(15)の後、前記第２のレバー(2)の第２のトルク消費減少段階(25)が終了する前に前記第１のレバー(1)の新しい操作についての新しい増加段階（１４）が開始されるように前記シーケンスを定める、ことを特徴とする、請求項５に記載の制御装置。
【請求項８】
前記接触面(10)は、前記第１のレバー(1)の第１のトルク消費増加段階(14)が終了した後に、前記第２のレバー(2)の第１のトルク消費増加段階(24)が開始するように前記シーケンスを定める、
ことを特徴とする、請求項５に記載の制御装置。
【請求項９】
前記接触面(10)は、前記時計機構の動力手段又は前記装置(100)内に含まれる動力手段によって駆動されるホイール(30)の周辺部にあり、
前記接触面が、前記の運動のシーケンスを駆動し、前記第１のレバー(1)及び前記第２のレバー(2)が、前記ホイール(30)の軸と平行な軸の周りで且つその外部に枢動可能に取り付けられ、前記駆動が、前記第１のレバー(1)を操作する少なくとも第１の制御カム(31)を含む第１の経路(301)を介して、及び前記第２のレバー(2)を操作する少なくとも第２の制御カム(32)を含み且つ前記第１の経路(301)とは異なる第２の経路(302)を介して行なわれ、前記第１の制御カム(31)が前記遅延手段(4)を構成する遅延面(40)を含む、
ことを特徴とする、請求項５に記載の制御装置。
【請求項１０】
前記遅延面(40)は、前記ホイール(30)の軸と併合する軸を有し且つ前記第１のレバー(1)及び前記第２のレバー(2)の移動領域において前記ホイールの最大直径を構成する円筒形セクタにより、又はこのような円筒形セクタに対し実質的に接線方向にある平坦な面により形成される、
ことを特徴とする、請求項９に記載の制御装置。
【請求項１１】
前記接触面(10)は、前記第１のレバー(1)を操作するための少なくとも第１の制御カム(31)と、前記第２のレバー(2)を操作するための少なくとも第２の制御カム(32)とを含み、前記各制御カム(31、32)は、前記第１の増加段階(14、24)に対する第１の傾斜部(310、311)と、少なくとも前記第２の減少段階(15、25)の終わりに対する第２の傾斜部(320、321)とを含み、少なくとも前記第１の制御カム(31)が、前記第１の傾斜部(310)と前記第２の傾斜部(320)との間に、前記遅延手段を形成する中間面(401)を含む、
ことを特徴とする、請求項５に記載の制御装置。
【請求項１２】
前記接触面(10)は、前記第１のレバー(1)を操作するための少なくとも第１の制御カム(31)と、前記第２のレバー(2)を操作するための少なくとも第２の制御カム(32)とを含み、前記各制御カム(31、32)は、前記第１の増加段階(14、24)に対する第１の傾斜部(310、311)及び少なくとも前記第２の減少段階(15、25)の終わりに対する第２の傾斜部(320、321)と、前記第１の傾斜部(310、311)と前記第２の傾斜部(320、321)との間に前記遅延手段(4)を形成する中間面(401、402)とを含む、
ことを特徴とする、請求項５に記載の制御装置。
【請求項１３】
前記接触面(10)は、ラック又は取り付けられたラックの組により形成され、または、カム経路又は歯を含む楕円形の幾何学的形状を有するセクタにより形成される、
ことを特徴とする、請求項１に記載の制御装置。
【請求項１４】
エネルギー源から供給されるエネルギーの一部を使用して、ハンマーに対する打撃ホイール内に含まれる歯又はカムの動作を介して、少なくとも１つの前記ハンマーを少なくとも１つのゴングに対して動作させる少なくとも１つの打撃ホイールと、請求項１に記載の少なくとも１つの制御装置とを含む、時打ち機構(200)であって、
前記制御装置(100)がシーケンス時打ち制御装置であり、前記第１のレバー(1)が時計機構の第１の打撃レバーであり、前記第２のレバー(2)が前記時計機構の第２の打撃レバーであり、前記第１のホイール・セット(7)が第１のハンマーであり、前記第２のホイール・セット(8)が第２のハンマーであり、前記第１のレバー(1)及び第２のレバー(2)それぞれが、前記第１のハンマー及び前記第２のハンマーの運動を制御して２つの打撃を時間的に接近して加えるように構成され、
前記接触面(10)が、打撃ホイール(30)の周辺部に配置され、前記第１のレバー(1)及び前記第２のレバー(2)が各々、前記打撃ホイール(30)が有する歯(31、32)と同じ数の動作を介して、少なくとも１つの前記ハンマーを少なくとも１つのゴング(71、81)に対して動作させるように構成され、前記歯は、前記第１のレバー(1)及び前記第２のレバー(2)と接触しない中間パッドにより終端し、且つ前記接触面を形成する、
することを特徴とする時打ち機構。
【請求項１５】
請求項１に記載の制御装置を含む日付機構(300)であって、
前記日付機構の枢動要素内に含まれる少なくとも第１のレバー(1)及び第２のレバー(2)を順次に巻き上げ、又は枢動要素の運動を制御する接触面(10)上の少なくとも１つの遅延面(40)を含む遅延手段(4)を備える、ことを特徴とする日付機構。
【請求項１６】
前記日付機構は、異なるレバーにより順次に巻き上げられる複数の枢動要素を含む瞬間日付機構であり、前記枢動要素の全てが同時にジャンプする、
ことを特徴とする、請求項１５に記載の日付機構。
【請求項１７】
動力手段と、少なくとも第１のレバー(1)及び第２のレバー(2)の動作を制御するための釈放手段(3)とを有する時計機構を含む時計(400)であって、
前記時計は、該時計内に含まれる時打ち機構(200)又はミニッツリピータ時打ち機構により消費されるトルクを調整するため、及び／又は、該時計(400)内に含まれる日付機構(300)により消費されるトルクを調整するため請求項１に記載の少なくとも１つの制御装置を含む、
ことを特徴とする時計。
【発明の詳細な説明】
【技術分野】
【０００１】
本発明は、時計機構の少なくとも２つのレバーのための機械的なシーケンス制御装置に関するもので、そのシーケンス制御装置は動力手段を含むとともに、第１のレバー及び第２のレバーの動作を制御する釈放手段を含み、それらの第１のレバー及び第２のレバーそれぞれは、シーケンス制御装置における接触面の経路と協働するように構成されている。前述の接触面は、上記レバーにトルク形態のエネルギーを伝達する動力手段の動作によって、上記経路により与えられるシーケンスに従って移動可能であり、そして、各レバーは、エネルギーを蓄える第１段階（増加段階）中、第１のトルク消費レベルから該第１のレベルよりも高い第２のトルク消費レベルまで変化し、次いで、エネルギーを用いる機構に当該エネルギーをレバーが伝達する第２段階（減少段階）中、第２の消費レベルから上記第１の消費レベルまで連続的に変化する。前述のシーケンスにおいて、蓄積した全てのエネルギーを第２のレバーがユーザ機構に伝達する前又は後で、第１のレバーは、蓄積した全てのエネルギーをこのエネルギーを使用する機構に伝達する。
【０００２】
本発明は、時打ち機構に関するもので、少なくとも１つの打撃ホイールが備えられる。その打撃ホイールは、エネルギー源により提供されるエネルギーの一部を使用し、打撃ホイール内に含まれる歯又はカムのハンマーに作用する動作を介して、少なくとも１つのハンマーを少なくとも１つのゴングに対して作動させる。また、少なくとも１つの制御装置が備えられる。
【０００３】
本発明は、少なくとも１つの制御装置を含む時計に関する。
本発明は、音響又は視覚表示のために、特に、時打ち機構又は日付機構のために、エネルギーを使用する時計用機構の分野に関する。
【背景技術】
【０００４】
特に、時打ち機構において繰り返し発生する問題は、実際の打撃動作に用いられるエネルギー源の管理の問題である。ハンマーを巻き上げるための高レベルのエネルギー消費に加えて、幾つかのタイプの打撃動作では、トルク消費の瞬間的ピークにも対処しなければならず、これは多くの場合、エネルギー源を過大にしなければならないことを意味する。
【０００５】
打撃動作が改善された時計は、特にリピータ時計又はグランド・ストライク時計のような、いわゆる複雑な携帯時計においてかなり以前から知られている。複雑な時計の分野における最新技術を明確に理解するために、特に、時打ち機構が取り付けられた時計に関する幾つかの章を含むＦｒａｎｃｏｉｓ  Ｌｅｃｏｕｌｔｒｅ著、「Ｌｅｓ  ｍｏｎｔｒｅｓ  ｃｏｍｐｌｉｑｕｅｅｓ（Ｃｏｍｐｌｉｃａｔｅｄ  Ｗａｔｃｈｅｓ）」（９７−２０５頁）（ＩＳＢＮ２−８８１７５−０００−１）を参照することができる。
【０００６】
Ｄｕｂｏｉｓ及びＤｅｐｒａｚのスイス国特許第６０４２３７号は、異なる音色を有する２つの重なったゴングを含む打撃装置を備え、該ゴングは２つのラチェットによって作動される２つのハンマーにより打撃され、該ラチェットは、枢動要素上の狼歯の組を介して２つのハンマーをそれぞれの打撃ばねに抗して動かすように動作する、リピータ時計を開示している。これらのラチェットは、その周辺部の一部の上にのみ歯付きにされ、これらの相対位置により異なる打撃の組が決定される。この時打ち装置は、速度の割合を調整する打撃調整器を含むが、パワー消費のピークを避けるための特定のエネルギー管理手段を含まない。
【先行技術文献】
【特許文献】
【０００７】
【特許文献１】スイス国特許第６０４２３７号
【非特許文献】
【０００８】
【非特許文献１】Ｆｒａｎｃｏｉｓ  Ｌｅｃｏｕｌｔｒｅ著、「Ｌｅｓ  ｍｏｎｔｒｅｓ  ｃｏｍｐｌｉｑｕｅｅｓ（Ｃｏｍｐｌｉｃａｔｅｄ  Ｗａｔｃｈｅｓ）」（９７−２０５頁）（ＩＳＢＮ２−８８１７５−０００−１）
【発明の概要】
【発明が解決しようとする課題】
【０００９】
本発明は、時計機構の少なくとも２つのレバーに対する機械的シーケンス制御装置を提供することでトルク消費のピークの問題を克服することを提案しており、当該制御装置は、該装置を介して動力手段から受け取ったトルク形態のエネルギーを、打撃機構、又は日付機構、或いは他の機構のような、このエネルギーを使用する１つ又はそれ以上の機構に伝達するレバーの各々のトルク消費を累積することによって動力手段により与えられるトルク消費のピークを回避するように構成される。
【課題を解決するための手段】
【００１０】
従って、本発明は、時計ムーブメントの少なくとも第１のレバー及び第２のレバーの機械的シーケンス制御装置であって、第１のレバー及び第２のレバーは、第１のホイール・セット及び第２のホイール・セットそれぞれの運動を弾性戻り手段に抗して制御し、時間的に接近し且つ部分的に重なった２つの運動が行われるように、構成されており、前記第１のホイール・セットを巻き上げるための第１の巻き上げ手段と、前記第２のホイール・セットを巻き上げる第２の巻き上げ手段とが備えられ、前記第１のホイール・セット及び前記第２のホイール・セットが同時ではなく順次に釈放するように構成されされている、機械的シーケンス制御装置であって、
前記第１の巻き上げ手段は、第１のホイール・セットの巻き上げと運動の釈放との間に時間遅延をもたらす手段を備え、前記第１のホイール・セットを操作する機構内に蓄えられたポテンシャル・エネルギーを第１の所定時間保持するように、前記第１のホイール・セットをその釈放まで前記第１の所定時間巻き上げられた状態にしておくように構成され、
前記第１の巻き上げ手段は、第１のレバーの制御用の第１の経路を含む接触面に、動力手段を伝達する手段を備え、前記接触面には前記遅延手段を形成する少なくとも１つの遅延面が配置されることを特徴とする。
【００１１】
本発明の１つの特徴によれば、第１の経路は、時計機構の動力手段又は装置内に含まれる動力手段によって駆動されるホイールの周辺部に配置され、遅延手段は、第１のホイール・セットを巻き上げた状態のままに置く遅延面であって、その角度幅（中心角）が、第１のホイール・セット及び第２のホイール・セットについての巻き上げ及び釈放の完全な累積サイクルに対応する角度幅の１５％〜２５％の範囲、及び／又は、第１のハンマー７を巻き上げ且つその巻き上げ状態に保持しておくサイクルに対応する角度幅の２５％〜４０％の範囲にある遅延面を有している。
【００１２】
本発明の１つの特徴によれば、第１の経路は、時計機構の動力手段又は装置内に含まれる動力手段によって駆動されるホイールの周辺部に配置され、遅延手段は、ホイールに対して実質的に接線方向の面であって、第１のレバーと協働するホイールの最大半径の６％〜１０％の範囲の孤長を有している、少なくとも１つの遅延面を含む。
【００１３】
本発明は、少なくとも１つの打撃ホイールと、少なくとも１つの制御装置とを含む時打ち機構に係り、その打撃ホイールは、エネルギー源から提供されるエネルギーの一部を使用して、打撃ホイールの歯又はカムのハンマーに作用する動作を介して、少なくとも１つのハンマーを少なくとも１つのゴングに対して作動させるよう構成されている、時打ち機構であって、前記制御装置は、シーケンス時打ち制御装置であり、第１のレバーは、時計機構の第１の打撃レバーであり、第２のレバーは時計機構の第２の打撃レバーであり、第１のホイール・セットは第１のハンマーであり、第２のホイール・セットは第２のハンマーであり、前記第１のレバー及び第２のレバーそれぞれは、第１のハンマー及び第２のハンマーの運動を制御して、時間的に接近した２つの打撃を加えるように構成され、更に、接触面は、打撃ホイールの周辺部に配置され、前記第１のレバー及び前記第２のレバーそれぞれは、打撃ホイールが有するのと同じ数だけの動作を介して、少なくとも１つのハンマーを少なくとも１つのゴングに対して作動させるように構成され、これらの歯は、第１のレバー及び第２のレバーと接触しない中間パッドで終端し、且つ接触面を形成する。
【００１４】
本発明は更に、日付機構の枢動部品内に含まれる少なくとも第１のレバー及び第２のレバーを順次に巻き上げる、又はそのような枢動部品の運動を制御する接触面上の少なくとも１つの遅延面を含む遅延手段を備えた、このタイプの制御装置を含む日付機構に関する。
【００１５】
本発明の特徴によれば、日付機構は、異なるレバーにより順次に巻き上げられる複数の枢動部品を含む瞬間日付機構であり、枢動部品の全てが同時にジャンプする。
【００１６】
本発明は更に、動力手段と、少なくとも第１のレバー及び第２のレバーの動作を制御するための釈放手段とを含む時計機構を備えた時計に関し、当該時計は、なかに含まれる時打ち機構又はミニッツリピータ時打ち機構により消費されるトルクを調整するため、及び／又は、該時計内に含まれる日付機構により消費されるトルクを調整するための少なくとも１つの制御装置を含む。
【００１７】
本発明は、時打ち機構のような機構に用いられる、香箱又は同様のエネルギー源の最小サイズを可能にするという利点を有する。本発明は、特定の事例に応じて、瞬間日付機構におけるような特定の事象間の同期、又はディン・ドン（ｄｉｎｇ−ｄｏｎｇ）型打撃におけるような所望のタイムラグのいずれかを、実施可能な最良のエネルギー管理により保証することができる。本発明は、複雑な機構により消費されるトルクの累積レベルを適度なレベルに保持できるようにする。構造体、特にプレート上に作用する応力が結果的に小さくなり、長期にわたる時計の性能が改善される。累積トルク消費曲線が円滑になることは、調整に直接影響を与え、これにより調整が大幅に容易になる。
【００１８】
本発明の他の特徴及び利点は、本発明による修正機構の例示的な実施形態に関する以下の詳細な説明からより明らかになるであろう。この実施例は、添付図面を参照した非限定的な例証として与えられているに過ぎない。
【図面の簡単な説明】
【００１９】
【図１】ハンマーを作動させる２つのレバーをそれぞれ作動させてゴングを打撃し、ディン・ドン型打撃を順次に行なうよう、鋭い歯の２つの経路を有する打撃ホイールを含む時計用時打ち機構の部分概略平面図である。
【図２】経路の一方がハンマーの一方の巻き上げのタイムラグを生じさせ、ハンマーが釈放されるまで該ハンマーを巻き上げられた状態にする特別な歯を含む、本発明による少なくとも２つのレバー用の機械的シーケンス制御装置を組み込む時打ち機構の図１に類似の図である。
【図３】図１の打撃ホイールの歯の各トルク消費をｙ軸上に示し、打撃ホイールの角度位置によるその瞬間的累積をｘ軸上に示した、打撃実行中の累積曲線の変動範囲を示す図である。
【図４】本発明による図２の打撃ホイールの歯のトルク消費、及び打撃実行の間に累積曲線が中間レベルでどのように円滑にされるかを示す、図３と類似した図である。
【図５】本発明による図２の打撃ホイールの第１の経路の歯の部分概略平面図である。
【図６】図１の歯又は図２の打撃ホイールの別の経路の歯の図５と類似した図である。
【図７】代替的な実施形態における、図２の打撃ホイールの別の経路の歯の図５と類似した図である。
【図８】別の最適化調整がなされた、本発明による図２の打撃ホイールの歯のトルク消費を示す、図４と類似した図である。
【図９】各々が本発明による制御装置を含む、時打ち機構及び日付機構を備えたむ時計を示すブロック図である。
【発明を実施するための形態】
【００２０】
本発明は、特に、時打ち機構又は日付機構のような音響表示又は視覚表示のためにエネルギーを消費する時計機構の分野に関する。
【００２１】
本発明は、時計機構の少なくとも第１のレバー１及び第２のレバー２のシーケンス制御のための機械制御装置１００に関する。
【００２２】
この時計機構は、香箱又は同様のものなどの動力手段と、少なくとも第１のレバー１及び第２のレバー２の作動を制御する釈放手段３とを含み、第１のレバー１及び第２のレバー２は、制御装置１００を介して動力手段から受けたエネルギーを、エネルギーを用いる機構へと伝達するタイプのものである。
【００２３】
第１のレバー１及び第２のレバー２は、それぞれ、第１のホイール・セット７及び第２のホイール・セット８の運動を制御し、好ましくは弾性戻り手段に抗して、時間的に接近し且つ部分的に重なる２つの運動を行なうように構成される。
【００２４】
本明細書では、２つのレバーが作動される場合を例示しているが、本発明は２つよりも多い数のレバーの場合にも全く同じように適用されることは明らかである。
【００２５】
制御装置１００は、第１のホイール・セット７を巻き上げる第１の手段と、第２のホイール・セット８を巻き上げる第２の手段とを含む。この制御装置１００は、第１のホイール・セット７及び第２のホイール・セット８を同時にではなく順次に釈放するように構成される。
【００２６】
本発明によれば、第１の巻き上げ手段は、第１のホイール・セット７の巻き上げ動作と釈放動作との間の時間を遅延させる手段４を含み、第１のホイール・セット７を操作するために機構内に蓄積されたポテンシャルエネルギーを所定の時間期間保持して、第１のホイール・セット７を、その釈放までの前記所定期間中、巻き上げた状態のままにするように構成される。
【００２７】
本発明によれば、この遅延手段４は、少なくとも１つの遅延面４０を含む。
【００２８】
別の特徴によれば、この第１の巻き上げ手段は、時計機構又は制御装置１００に含まれる動力手段を接触面１０に伝達する手段を含み、該接触面は第１のレバー１を制御するための第１の経路３０１を含み、この接触面の上に少なくとも１つの遅延面４０が配置されて、遅延手段４を形成する。
【００２９】
好ましい実施形態においては、図示されるように、第１の経路３０１は、時計機構の動力手段より駆動され又は制御装置１００内に含まれるホイール３０の周辺部に配置され、遅延手段４は、第１のホイール・セット７が巻き上げられた状態のままに置かれる、所定の角度幅（中心角）の少なくとも１つの遅延面４０を含み、前記角度幅は、第１のホイール・セット７及び第２のホイール・セット８両方の巻き上げ及び釈放の完全な累積サイクルに対応する角度幅の１５％から２５％までの範囲、及び／又は、第１のホイール・セットを巻き上げてこれを巻き上げ状態に保持するサイクルに対応する角度幅の２５％から４０％まで、より特定的には３５％から４０％までの範囲を含む。
【００３０】
更なる変形態様では、第１の経路３０１は、時計機構の動力手段により駆動され又は上記制御装置１００内に含まれるホイール３０の周辺部に配置され、遅延手段４は、ホイール３０に対して実質的に接線方向の面であって、第１のレバー１が協働するホイール３０の最大半径の６％から１０％までの範囲の孤長を有する、少なくとも１つの遅延面４０を含む。
【００３１】
第１のホイール・セット７の第１の巻き上げ手段は、第１の増加段階１４をもたらすように構成され、該増加段階１４では、第１のレバー１が、第１のトルク消費レベル１１と、第１のレベル１１よりも高い第２のトルク消費レベル１２との間のエネルギーを蓄える。第２のホイール・セット８の第２の巻き上げ手段は、第１の増加段階２４をもたらすように構成され、該増加段階２４では、第２のレバーが、第１のトルク消費レベル２１と第１のレベル２１よりも高い第２のトルク消費レベル２２との間にエネルギーを蓄える。遅延手段４は、第１の増加段階１４に続く第１のレバー１の第２の減少段階１５の間に、第１のトルク消費レベル１１と第２の消費レベル１２との間の第３の中間トルク消費レベル１３において少なくとも１つの安定段階１６をもたらすように構成される。第２の減少段階１５の終わりに、第１の増加段階２４の間に蓄積した全てのエネルギーを第２のレバー２がユーザ機構に伝達する前又は遅くともその瞬間に、第１のレバー１は、第１の増加段階１４の間に蓄積した全てのエネルギーをこのエネルギーを使用する機構に伝達し、第１のレバー１及び第２のレバー２の各々のトルク消費を累積することによりトルク消費のピークを防ぐようにする。
【００３２】
第２の巻き上げ手段は、時計機構又は制御装置１００内に含まれる動力手段を、第２のレバー２を制御するための第２の経路３０２を含む接触面１０に伝達する手段を含む。接触面１０は、経路３０１及び３０２により与えられるシーケンスに応じてトルクの形態のエネルギーをレバー１及びレバー２に伝達するため、動力手段の動作によって移動可能である。このシーケンスにおいて、レバー１及び２のそれぞれは、レバー１、２がエネルギーを蓄える第１の増加段階１４、２４の間に、第１のトルク消費レベル１１、２１から該第１のレベル１１、２１よりも高い第２のトルク消費レベル１２、２２まで変化し、次いで、レバーが、エネルギーの使用をする機構にエネルギーを伝達する第２の減少段階１５、２５の間に、第２のレベル１２、２２から第１のレベル１１、２１まで順次に変化する。
【００３３】
本発明は、ホイール３０の周辺部に接触面１０を有するものが示されているが、他の実施形態では、接触面１０は、ラック又は取り付けられたラックの組により形成され、或いは、カム経路又は歯を含む楕円形の幾何学形状を有するセクタにより形成される。
【００３４】
本発明は、各図で示される時打ち動作に対する特定の用途について以下で具体的に説明するが、これには限定されない。この時打ち制御機構の場合、時計機構の少なくとも第１の打撃レバー１及び第２の打撃レバー２のシーケンス制御のための機械制御装置１００に対して、第１のレバー１及び第２のレバーは、時間的に接近した２つの打撃を加えるように第１のハンマー７及び第２のハンマー８の運動をそれぞれ制御するよう構成される。このシーケンス制御装置１００は、第１のハンマー７を巻き上げる第１の手段と、第２のハンマー８を巻き上げる第２の手段とを含む。制御装置１００は、第１のハンマー７及び第２のハンマー８を、同時にではなく順次に釈放するように構成される。
【００３５】
本発明によれば、第１の巻き上げ手段は、第１のハンマー７の巻き上げと釈放との間の時間を遅延させる手段４を含み、この手段４は、第１のハンマー７を操作するために機構内に蓄えられたポテンシャルエネルギーを所定の時間期間の間保持し、第１のハンマー７を釈放されるまで所定の時間期間の間に巻き上げた状態に保持するように構成され、これにより第１のハンマー７の巻き上げのタイムラグを生じさせる手段を形成する。
【００３６】
これらレバー１及び２の各々は、制御装置１００内に含まれる接触面１０の経路３０１及び３０２とそれぞれ協働するように構成される。この接触面１０は、１レバーにつき１経路の割合の経路を介して異なるレバーに与えられる運動のシーケンスを定める。接触面１０は、時計機構の動力手段又は制御装置１００が含むことができる付加的な動力手段の動作によって移動可能である。実際には、制御装置１００は、既存のムーブメントと並置することができる追加ユニットとして考案することができる。第１のレバー１及び第２のレバー２は、接触面１０の経路３０１及び３０２により与えられるシーケンスに応じて、接触面１０により提供されるエネルギーをトルクの形態で受け取る。
【００３７】
このシーケンスにおいて、レバー１及び２の各々は、それぞれ、トルクの形態でエネルギーを蓄える第１の段階（増加段階）１４、２４それぞれの間に、好ましくは低レベル又はゼロである第１のトルク消費レベル１１、２１から、第１のレベル１１、２１よりもそれぞれ高いレベルの第２のトルク消費レベル１２、２２まで変化し、次いで、エネルギーを使用する機構にエネルギーを伝達する第２の段階（減少段階）１５、２５の間に、第２のレベル１２、２２からそれぞれ第１のレベル１１、２１まで順次に変化する。このシーケンスの間に、蓄積した全てのエネルギーを第２のレバーがユーザ機構に伝達する前又は後に、第１のレバー１は、蓄積した全てのエネルギーをこのエネルギーを使用する機構に伝達する。
【００３８】
本発明によれば、制御装置１００は、第１のレバー１の第２の減少段階１５の間に、第１のレバーの第１のトルク消費レベル１１と第２のトルク消費レベル１２との間の第３の中間トルク消費レベル１３において少なくとも１つの安定段階１６をもたらすように構成された遅延手段４を含み、各レバーのトルク消費の累積によるトルク消費のピークを防ぐようにする。
【００３９】
従って、本発明は、歯の最小急勾配に沿って上昇する間のエネルギー蓄積段階の後、即座に、歯の最大急勾配に対応するエネルギーの突発的釈放が続く、「狼歯」型のラチェット歯に依存する周知の時打ち機構とは異なるものである。
【００４０】
本発明の好ましい実施形態において、接触面１０は、第１のレバー１のトルク消費安定段階１６が、第２のレバー２の第１の増加段階２４の間に生じるようにシーケンスを定める。
【００４１】
接触面１０は、第１のレバー１の第２のトルク消費減少段階１５の後、第２のトルク消費減少段階２５が終了する前に第１のレバー１の新しい操作のための新しい第１の増加段階１４が開始されるようにシーケンスを定めることが好ましい。
【００４２】
接触面１０は、第１のレバー１の第１のトルク消費増加段階１４が終了した後に、第２のレバー２の第１のトルク消費増加段階２４が開始するようにシーケンスを定めることが好ましい。
【００４３】
遅延手段４の性質は、使用される機構によって決まる。本明細書では、時計製作技術において最も一般的な構成である、接触面１０がホイールの周辺部におけるカム経路の組である場合についてより具体的に記述している。しかしながら、本発明は、接触面１０の支持体の幾何学的性質が異なる、例えば線形支持体の場合でも全く同じ方法で適用される。この場合、接触面１０は、ラック又は取り付けられたラックの組の形態、又は、例えばカム経路又は歯或いは他の要素を含む、例えば楕円形などの特定の幾何学的形状を有するセクタの形態をとることもできる。
【００４４】
同様に、本発明は、レバーを作動させるためのカムを形成する突出要素を含む接触面１０について説明するが、凹状要素を用いても等しく良好に実施することができ、この場合、カムは輪郭に沿って中空体又は溝により形成される。
【００４５】
図面は、時打ち機構に関する本発明の特定の使用例を示している。図１及び図３は、「ＭＯＮＴＲＥＳ  ＢＲＥＧＵＥＴ  ＳＡ」の製品により特に知られる最新技術の実施例を示す。接触面１０は、時計機構の動力手段により駆動される打撃ホイール３０の周辺部にあり、第１のレバー１及び第２のレバー２の運動のシーケンスを駆動し、これらのレバーは、ホイール３０の軸に平行な軸の周りで、第１のレバー１を操作する少なくとも第１の制御カム３１を含む第１の経路３０１を介して、及び第２のレバー２を操作する少なくとも第２の制御カム３２を含み且つ第１の経路３０１とは異なる第２の経路３０２を介してホイール３０の外部に各々枢動可能に取り付けられる。従来技術により周知のこれらの制御カム３１及び３２は、図６に見られるように、鋭く尖った歯の形態で形成される。
【００４６】
前述の実施形態に関連する図１及び図３の実施例において、ここでは３回繰り返される順次なディン・ドン型打撃の場合、図３の点線は、第１の「ディン（ｄｉｎｇ）」用歯３１によるトルク消費が低い又はゼロである第１のレベル１１のアイドル状態から始まり、第１のレバー１は、図３の実施例における８°の角度位置から始まって巻き上げられることを示している。レバー１のトルク消費は、第２のトルクレベル１２まで増大し、約１３°で最大レベルに達する。トルクは約１５°で低下し、このときレバー１が釈放され、第１のハンマー７に伝達されるエネルギーを釈放し、第１のベル又はゴング７１を打撃する。次いで、約２０°で再び巻き上げられるまで消費は再度第１のレベルに低下し、ここでシーケンスが繰り返され、次に約３２°でシーケンスが再度繰り返される。
【００４７】
同様の方法で、第２の「ドン（ｄｏｎｇ）」用歯３２のトルク消費が低い又はゼロである第１のレベル２２におけるアイドル状態から始まり、第２のレバー２は、図３の実施例で破線で示される１３°の角度位置から始まって巻き上げられる。このレバー２のトルク消費レベルは、第２のトルクレベル２２まで増加し、約１８°で最大レベルを構成する。トルクは約１９°で低下することが示され、その際には、レバー２が釈放され、第２のハンマー８に伝達されるエネルギーを釈放し、第２のゴング８１を打撃する。次いて、トルク消費は、約２６°で再び巻き上げられるまで、再度第２のレベル２１に低下し、次に約３９°でシーケンスが再度繰り返される。
【００４８】
図３は、トルク消費の累積を表わす一点鎖線の曲線が有意な変化を生じ、約１５°／２７°／３９°で高いピークを有し、約２０°／３２°／４４°で極めて低いレベルを有することを示している。この実施例においては、第１の「高音」ディン用ハンマー７の第１のレバー１に対応する第２の最大レベル１２は２００ｇ・ｍｍであり、第２の「低音」ドン用ハンマー８の第２のレバー２に対応する第２の最大レベル２２は１５０ｇ・ｍｍである。結果として得られる曲線の最大レベルは３００ｇ・ｍｍであり、従って、最大トルクの合計３５０ｇ・ｍｍよりも僅かに少ないだけである。
【００４９】
時打ち機構が、２つのハンマーにより２つの時間的に接近した打撃を加えたときに、特に瞬間トルク消費のあらゆるピークを防ぐためには、２つのハンマーを同時にではなく順次に巻き上げるのが有利である。本発明は、ハンマーの一方の巻き上げのタイムシフトを実行し、ハンマーが釈放されるまで該ハンマーを巻き上げた状態にする。制御機構が歯付きホイールにより形成される図示の場合において、対応する歯を拡大することによってハンマーの一方の巻き上げのタイムシフトが有利に達成される。
【００５０】
本発明によれば、図２、図４及び図５で見える特定の実施形態において、接触面１０は、時計機構の動力手段又は制御装置１００内に含まれる動力手段により駆動されるホイール３０の周辺部にある。特に、図２及び図４の時打ち機構の場合、ホイール３０は、打撃ホイールである。
【００５１】
接触面１０は、第１のレバー１及び第２のレバー２の運動のシーケンスを駆動する。第１のレバー１及び第２のレバー２それぞれは、ホイール３０の軸と平行な軸の周りで且つその外部に枢動可能に取り付けられる。それらの運動は、第１のレバー１を操作する少なくとも第１の制御カム３１を含む第１の経路３０１を介して、及び、第２のレバー２を操作する少なくとも第２の制御カム３２を含み且つ第１の経路３０１とは異なる第２の経路３０２を介して、行なわれる。図４の実施例は、第１の経路３０１上の３つの「ディン」音を制御する３つの歯形状カム３１と、第２の経路３０２上の３つの「ドン」音を制御する３つの歯形状カム３２とを示す。接触面１０の構成により、「ディン」音と「ドン」音との間の位相シフトと、２つの引き続くディン・ドン間の時間間隔とが定められる。本実施例において、各打撃シーケンスは、３回のディン・ドンを順に鳴らし、図４の実施例のホイール３０は、各々がこれら３回のディン・ドンを実行する６つのカム群を有する。例えば、３回のディン・ドンの１つのシーケンスと次のシーケンスとの間の停止は、例えば、日の裏機構(motion work) 又は同様のもなどの腕時計機構の釈放手段３により制御される、図示されない爪を有する機構により達成される。
【００５２】
本発明によれば、第１の制御カム３１は遅延面４０を有し、その遅延面４０は、遅延手段４を形成、又は、遅延手段４が複数の要素を備える場合は少なくともその一部を形成するする。図４の例示的な実施形態において、遅延面４０は、軸がホイール３０の軸と併合し、第１のレバー１及び第２のレバー２の移動領域において最大直径を形成する円筒形セクタによって、或いはこの円筒形セクタに対し実質的に接線方向の平坦な面を介して形成される。本発明の主旨から逸脱することなく、特に異なる輪郭を有する他の実施形態は明らかに実施可能である。
【００５３】
接触面１０は、第１のレバー１を操作する少なくとも第１の制御カム３１と、第２のレバー２を操作する少なくとも第２の制御カム３２とを有する。各制御カム３１、３２はそれぞれ、第１の増加段階１４、２４に対する第１の傾斜部３１０、３１１と、第２の減少段階１５、２５の少なくとも最後に対する第２の傾斜部３２０、３２１とを含む。本発明によれば、少なくとも第１の制御カム３１は、第１の傾斜部３１０と第２の傾斜部３２０との間に遅延手段４を形成する中間面４０１を含む。
【００５４】
図示されない特定の形態において、各制御カム３１、３２は、第１の傾斜部３１０、３１１の間および第２の傾斜部３２０、３２１の間に、遅延手段４を形成する中間面４０１および４０２を含む。この構成は、中間面４０１を有する第１の歯３１の構成を介して達成される蓄積トルクの節減を利用するため、更に図７に示されるような第２の中間面４０２を介して第２の打撃をシフトさせることにより「ディン」音と「ドン」音との間の時間間隔を所定値に調整するために有用とすることができる。
【００５５】
本発明による実施形態の図４は、第１の「ディン」用歯３１の第１の低い又はゼロのトルク消費レベル１１におけるアイドル状態から始まって、第１のレバー１がこの実施例では５°の角度位置から巻き上げられ、レバー１のトルク消費が第２のトルクレベル１２まで増大し、約１３°でその最大レベルに達することを示している。
【００５６】
トルクは、レバー１が中間面４０１と協働する際、消費トルクレベル１３の安定段階１６付近の約１４°で低下する。実際には、レバー１は、トルク増加段階１４の間は第１の傾斜部３１０と協働し、次に中間面４０１に入り、結果として生じる力の向きが変化し、従って、トルクのモーメントも変化する。中間トルクレベル１３は、歯に対する保持トルクであり、この段階においてレバー１はハンマー７を完全に巻き上げている。中間面４０１が回転中心に対し同心半径上にある形態において、トルクは一定である。当然のことながら、蓄積トルクの周期的変動を更に減少させるよう輪郭形成される歯を形成することも可能であるが、実験結果を示す図４は、円筒形の外面を有する第１の歯を拡大するものである極めて単純な解決法により、累積トルクが均一になることを示している。
【００５７】
その後、角度値が約１７°でレバー１が釈放され、第１のハンマー７に伝達されるエネルギーを釈放して、第１のベル又はゴング７１を打撃すると、トルク消費が第１のレベル１１に低下し、巻き上げが行なわれるまで（この実施例ではほぼ即座に）シーケンスが繰り返され、すなわち約２９°までシーケンスが再度繰り返される。
【００５８】
同様の方法で、第２の「ドン」用歯３２の第１の低い又はゼロのトルク消費レベル２１におけるアイドル状態から始まり、第２のレバー２は、図４の実施例における１３°の角度位置から巻き上げられ、レバー２のトルク消費は、第２のトルクレベル２２まで増大し、約１８°でその最大レベルに達する。トルクは約１９°で低下し、このときレバー２が釈放され、第２のハンマー８に伝達されるそのエネルギーを釈放して、第２のベル又はゴング８１を打撃する。次に、トルク消費は再び第１のレベル２１に低下し、約２６°で再び巻き上げられるまでシーケンスが繰り返され、次いで約３７°でシーケンスが再度繰り返される。
【００５９】
図示される例示的な実施形態において、遅延手段４は、十分に大きい角度幅を有する少なくとも１つの遅延面４０を含む。実際には、第１のハンマー７が巻き上げられた状態のままに置かれる角度幅は、好ましくは、２つのハンマー７及び８の巻き上げ及び釈放の完全な累積サイクルに対応する角度幅の１５％〜２５％までの範囲、及び／又は、第１のハンマー７を巻き上げ且つその巻き上げ状態に保持しておくサイクルに対応する角度幅の２５％〜４０％、好ましくは３５％〜４０％までの範囲から構成される。
【００６０】
図４は、トルク消費の蓄積を表す曲線が、打撃シーケンス全体の間で１３０から２５０ｇ・ｍｍまで広がる、小さな変動を生じることを示している。この実施例において、第１の「高い」ディン用ハンマー７の第１のレバー１に対応する第２の最大レベル１２は２１５ｇ・ｍｍであり、第２の「低い」ドン用ハンマー８の第２のレバー２に対応する第２の最大レベル２２は１５５ｇ・ｍｍである。結果として生じる曲線の最大レベルは２５０ｇ・ｍｍであり、従って、最大トルクの合計３７０ｇ・ｍｍよりもかなり低くなる。第１の歯における遅延段階に起因して、２つのレバーのトルク消費がある意味では逆位相であるので、第２のレバーに対応する最大トルクレベル２２は、あまり大きく結果を変化させることなく、遙かに高くなり得ることが明らかである。
【００６１】
図８は、遅延領域の角度幅に対応する別の調整を示しており、該角度幅は、第１のハンマー７を巻き上げてこれを巻き上げ位置に保持するサイクルに対応する角度幅の約３６％に調整され、打撃サイクルの間に第１のレバー１が移動する最小値と最大値との間の半径差は、遅延面４０が配置される最大半径のおよそ７％である。一方の遅延面４０上の遅延孤長と、他方の打撃サイクルの間の半径の増加との比は５０％近くである。
【００６２】
第１のハンマーの釈放（点線）は、遅延段階の後、角度５３°、１１０°、１６７°で行なわれ、第２のハンマーの釈放（一点鎖線）は、６８°、１２５°、１８２°で行なわれ、すなわち、第１のハンマーと第２のハンマーの打撃間の差は１５°であり、各サイクル間の差は４２°である。
【００６３】
ここで得られるトルクは、両方のハンマーで等しく最大約２００ｇ×ｍｍである。
【００６４】
第１の歯が約５０ｇ×ｍｍのトルクに対応する平坦部に達すると、トルクの低下は大きく、これにより累積トルク（実線）は、別個の各トルクの値、すなわち２００ｇ×ｍｍを超えず、従って、無駄なエネルギー消費が阻止される。第２のハンマーが釈放され、第１の歯からトルクが得られる直前の累積トルクの最低値は、ここでは約２５ｇ×ｍｍである。
【００６５】
当然のことながら、この累積トルクを、例えば、１２０から２００ｇ×ｍｍの間に含まれる、更に低い値に制限することも可能である。実際には、累積トルクが低いほど、一定のトルク消費値に近づき、調整がより容易になる。
【００６６】
このように、打撃動作により得られるトルクは、２つのハンマーからトルクが付加されることに起因してあまり有意なピークが存在しない。
【００６７】
従って、可及的に最小の差分でトルクを平滑にする目的が達成され、この場合、これは、打撃動作を適切に調整する問題がより少なくなることを意味する。
【００６８】
手短に言えば、時打ち機構に適用される形態において、接触面１０は、打撃ホイール３０の周辺部に配置され、第１のレバー１及び第２のレバー２それぞれは、打撃ホイール３０が有する歯３１、３２と同じ数の動作を介して、少なくとも１つのハンマー７、８を少なくとも１つのベル又はゴング７１、８１に作動させるように構成され、これらの歯は、第１のレバー１及び第２のレバー２と接触しない中間パッドで終端し、接触面１０を形成する。ハンマーは、ピン・バレル又は類似の要素を打撃することもできる。
【００６９】
本発明は時打ち機構に係り、その時打ち機構には、少なくとも１つの打撃ホイールにして、エネルギー源から提供されるエネルギーの一部を使用して、打撃ホイールの歯又はカムのハンマーに作用する動作を介して、少なくとも１つのハンマーを少なくとも１つのゴングに対して作動させるよう構成されている、少なくとも１つの打撃ホイールと、少なくとも１つの制御装置１００とが含まれる。この制御装置１００は、シーケンス時打ち制御装置であり、第１のレバー１は、時計機構の第１の打撃レバーであり、第２のレバー２は時計機構の第２の打撃レバーである。第１のホイール・セット７は第１のハンマーであり、第２のホイール・セット８は第２のハンマーであり、前記第１のレバー７及び第２のレバー８それぞれは、第１のハンマー及び第２のハンマーの運動を制御して、時間的に接近した２つの打撃を加えるように構成され、接触面１０は、打撃ホイールの周辺部に配置される。第１のレバー１及び第２のレバー２それぞれは、打撃ホイール３０が有するのと同じ数だけの動作を介して、少なくとも１つのハンマー７（８）を少なくとも１つのゴング７１（８１）に対して作動させるように構成され、これらの歯は、接触面１０を形成し且つ第１のレバー１及び第２のレバー２と接触しない中間パッドで終端する。
【００７０】
本発明の別の有利な用途は、このタイプの制御装置１００を含む日付機構に関し、制御装置は、少なくとも第１のレバー１及び第２のレバー２を順次に巻き上げる接触面１０上に少なくとも１つの遅延面４０を含む遅延手段４を備え、それらのレバーは、日付機構の枢動可能要素に含まれる又は枢動要素の運動を制御する。
【００７１】
特定の特徴によれば、この日付機構は、異なるレバーにより巻き上げられ且つ同時にジャンプする幾つかの枢動要素を含む瞬間日付機構である。
【００７２】
本発明は、少なくとも１つの制御装置１００を含み、動力手段と、少なくとも第１のレバー及び第２のレバー２の作動を制御する釈放手段３とを有する時計機構を含む時計に関する。この時計は、時計内に含まれる時打ち機構又はミニッツリピータ機構により消費されるトルクを調整するため、及び／又は時計内に含まれる日付機構により消費されるトルクを調整するための、少なくとも１つの制御装置１００を含む。
【符号の説明】
【００７３】
１  第１のレバー；  ２  第２のレバー；  ３  釈放手段；  ４  遅延手段；  
１０  接触面；  ３０  ホイール；  ４０  遅延面。
【図１】
0005463311.tif 000002
【図２】
0005463311.tif 000003
【図３】
0005463311.tif 000004
【図４】
0005463311.tif 000005
【図５】
0005463311.tif 000006
【図６】
0005463311.tif 000007
【図７】
0005463311.tif 000008
【図８】
0005463311.tif 000009
【図９】
0005463311.tif 000010